(57)【要約】      （修正有）【課題】いつでも液体を揮散させたいときに簡単な操作で一定時間液体を揮散させることができ、使用者が操作する度に液体の揮散効果を感じる「使用感」と「遊び心」が得られるとともに、液体の残量を少なくすることができる液体揮散容器を提供する。【解決手段】一方に載置可能な底部と、他方に外部に連通する口部１とを有し、揮発性液体を収容可能な２つのボトルと、２つのボトルＡ１，Ａ２を連結して揮発性液体を揮散させる揮散機構Ｂとからなり、揮散機構は、２つのボトルの口部に接続して流路を形成し、流路の中央付近に絞り孔１８を具えたオリフィス板１９を設け、オリフィス板の上下の管壁には貫通孔２０を設けた連通管１０と、連通管の外周面を覆うように設けられ揮発性液体を含浸可能な含浸体１１とからなり、各ボトルのそれぞれの底部は、交互に天地を反転させて載置可能に形成されていることを特徴とする。【選択図】図２
2015067327.tif 000002
【特許請求の範囲】
【請求項１】
揮発性液体を収容するとともに大気中に揮散させる液体揮散容器であって、
一方に載置可能な底部と、他方に外部に連通する口部とを有し、揮発性液体を収容可能な２つのボトルと、２つのボトルを連結して揮発性液体を揮散させる揮散機構とからなり、
揮散機構は、２つのボトルの口部に接続して流路を形成し、流路の中央付近に絞り孔を具えたオリフィス板を設け、オリフィス板の上下の管壁には貫通孔を設けた連通管と、連通管の外周面を覆うように設けられ揮発性液体を含浸可能な含浸体とからなり、
各ボトルのそれぞれの底部は、交互に天地を反転させて載置可能に形成されていることを特徴とする液体揮散容器。
【請求項２】
揮散機構は、各ボトルの口部と連通管の端部にそれぞれ嵌合して、各ボトルと連通管とを接続する２つのキャップをさらに具え、
キャップは、ボトル口部に嵌合する嵌合筒と、嵌合筒に連設し口部の天面に当接するとともに連通管に嵌合する内筒を立設した天板と、連通管および含浸体の周囲に間隙を有して天板に立設した外筒とを具えたことを特徴とする請求項１記載の液体揮散容器。
【請求項３】
連通管の貫通孔はスリットであることを特徴とする請求項１または２に記載の液体揮散容器。
【請求項４】
両端が各ボトルに連結され、揮散機構を外部から覆うとともに、大気と連通する揮散孔が設けられた把持カバーをさらに具えたことを特徴とする請求項１〜３のいずれかに記載の液体揮散容器。
【請求項５】
各ボトルは、透明または半透明の素材からなることを特徴とする請求項１〜４のいずれかに記載の液体揮散容器。
【発明の詳細な説明】
【技術分野】
【０００１】
本発明は、芳香剤などの揮発性液体を収容するとともに、大気中に揮散させる機構を具えた液体揮散容器に関する。
【背景技術】
【０００２】
容器内に収容した芳香剤や消臭剤などの揮発性液体を、容器内に垂下した吸い上げ芯で吸い上げ、この吸い上げた揮発性液体を揮散孔から容器外に揮散させるようにした液体揮散容器は、従来からよく知られている。  
そして、このような液体揮散容器を使用するに際し、液体を揮散可能な状態にセットするための操作を簡易なものとする種々の工夫が提案されている（例えば、特許文献１参照）。
【先行技術文献】
【特許文献】
【０００３】
【特許文献１】特開２０１０−２６０５８７号公報
【発明の概要】
【発明が解決しようとする課題】
【０００４】
上記特許文献１の揮発性液体散布装置は、揮発性液体が収容された容器の内部に差し込まれた挿入筒３と、該挿入筒３内に吸上げ芯５を保持するとともに先端部に刃部３０ａが設けられた可動体４がカバー体６によって下方移動可能に収容設置されている。
この揮発性液体散布装置を使用する場合には、カバー体６を容器軸方向に下降させ、可動体４の先端部に設けられた刃部３０ａが挿入筒３の底部２２を開口させることにより、挿入筒３内と揮発性液体が収容された容器内とが連通し、揮発性液体が吸上げ芯５により吸い上げられて含浸プレート３５から大気中に揮散する。
【０００５】
このような上記特許文献１記載の揮発性液体散布装置では、可動体４やカバー体６などの可動部分を設けるために構造が複雑になる。
また、一度挿入筒３を開口して揮発性液体を吸上げ芯５に接触させると、液体の揮散を中止したくても途中で止めることは困難であり、揮散は連続して使用開始操作の後は容器に触れることもないため、揮発性液体がなくなっていても気づかないことがある。
さらに、揮発性液体は吸上げ芯５によって吸い上げるために、どうしても容器の底に液体が残り、容器内の液体を最後まで完全に使い切ることができないという問題があった。
【０００６】
本発明は、上記問題を解決することを課題とし、いつでも液体を揮散させたいときに簡単な操作で一定時間液体を揮散させることができ、使用者が操作する度に液体の揮散効果を感じる「使用感」と「遊び心」が得られるとともに容器内の液体の残量をも感じることができ、さらに、揮発性液体の残量を少なくすることができて経済的な液体揮散容器を提供することを目的とする。
【課題を解決するための手段】
【０００７】
本発明は、上記の課題を解決するため、液体揮散容器として、揮発性液体を収容するとともに大気中に揮散させる液体揮散容器であって、一方に載置可能な底部と、他方に外部に連通する口部とを有し、揮発性液体を収容可能な２つのボトルと、２つのボトルを連結して揮発性液体を揮散させる揮散機構とからなり、揮散機構は、２つのボトルの口部に接続して流路を形成し、流路の中央付近に絞り孔を具えたオリフィス板を設け、オリフィス板の上下の管壁には貫通孔を設けた連通管と、連通管の外周面を覆うように設けられ揮発性液体を含浸可能な含浸体とからなり、各ボトルのそれぞれの底部は、交互に天地を反転させて載置可能に形成されていることを特徴とする構成を採用する。
【０００８】
液体揮散容器の実施形態として、揮散機構は、各ボトルの口部と連通管の端部にそれぞれ嵌合して、各ボトルと連通管とを接続する２つのキャップをさらに具え、キャップは、ボトル口部に嵌合する嵌合筒と、嵌合筒に連設し口部の天面に当接するとともに連通管に嵌合する内筒を立設した天板と、連通管および含浸体の周囲に間隙を有して天板に立設した外筒とを具えたことを特徴とする構成、また、連通管の貫通孔はスリットであることを特徴とする構成を採用する。
【０００９】
液体揮散容器のさらなる実施形態として、両端が各ボトルに連結され、揮散機構を外部から覆うとともに、大気と連通する揮散孔が設けられた把持カバーをさらに具えたことを特徴とする構成、また、各ボトルは、透明または半透明の素材からなることを特徴とする構成を採用する。
【発明の効果】
【００１０】
本発明の液体揮散容器は、絞り孔を具えたオリフィス板を設けた連通管によって２つのボトルを接続し、各ボトルのそれぞれの底部は、交互に天地を反転させて載置可能に形成されているから、容器を把持して天地を反転させれば、上方に位置したボトルから連通管に流入した揮発性液体は、絞り孔によって下方のボトルへの流出量が規制されて貫通孔から外方に流出し、含浸体に含浸されて大気中に揮散される。
揮発性液体が、一旦含浸体に含浸されれば、上方のボトルから下方のボトルに全ての揮発性液体が流下してしまっても、一定時間大気中に揮散することができ、再度液体を揮散させる必要があるときに容器の天地を反転すれば、大気中への揮散を再開することができる。
【００１１】
このように、本発明の液体揮散容器は、容器の天地を反転させるという簡単な操作で大気中への揮散を開始し、いつでも液体を揮散させたいときに揮散を再開して一定時間液体を揮散させることができるので、使用者が操作する度に液体の揮散効果を感じる「使用感」と「遊び心」が得られるとともに、容器内の液体の残量をも感じることができる。
また、容器の天地を反転すると、液体の入っているボトルは上方へ移動して天地を反転するから、ボトル内の揮発性液体を最後まで完全に使い切ることができ無駄になることがない。
【図面の簡単な説明】
【００１２】
【図１】本発明の液体揮散容器の斜視図である。
【図２】本発明の液体揮散容器の半断面側面図である。
【図３】図２の線Ｘ−Ｘにおける矢視断面図である。
【発明を実施するための形態】
【００１３】
次に、本発明の液体揮散容器について、実施例を示した図面を参照して説明する。
【実施例１】
【００１４】
図１〜３において、Ａ１，Ａ２は揮発性液体を収容可能なボトル、Ｂは揮発性液体を大気中に揮散させる揮散機構、Ｃは把持カバーである。
図１、２に示すように、２つのボトルＡ１，Ａ２は揮散機構Ｂおよび把持カバーＣによって対向して連結されている。
【００１５】
ボトルＡ１，Ａ２は、それぞれ外部と連通して揮発性液体を流通させる口部１と、外周面を形成する外周壁２と、底面を形成する底壁３と、口部１から外周壁２へと連続させる湾曲頸部４とからなる。
湾曲頸部４は、ボトルＡ１，Ａ２が上方位置にあるとき、液体を遅滞なく口部１に流下させるとともに、外周壁２と連結する側で把持カバーＣの端部内周面に弾性的に嵌合するように湾曲し、把持カバーＣの端部端面が対向する部位には、把持カバーＣの外周面と外周壁２とがほぼ一致した外周面を形成するように、把持カバーＣの肉厚に対応する連結拡径部５が設けられている。
また、底壁３の周縁部には、液体揮散容器を安定して載置させるための載置突条環６が設けられている。
なお、ボトルＡ１，Ａ２は、内部の揮発性液体の残量が外部から見えるように、透明または半透明の素材から形成されていることが望ましい。
【００１６】
図２，３に示すように、揮散機構Ｂは、ボトルＡ１，Ａ２のそれぞれの口部１にねじで嵌合する２つのキャップ９ａ，９ｂと、２つのキャップ９ａ，９ｂに連結してボトルＡ１，Ａ２間の液体流路を形成する連通管１０と、連通管１０の外周面を覆うように設けられた揮発性液体を含浸可能な含浸体１１とからなる。
【００１７】
キャップ９ａ，９ｂは、それぞれボトルＡ１，Ａ２の口部１のおねじに螺合するめねじを有する嵌合筒１３と、嵌合筒１３に連設し口部１の天面に当接するとともに連通管１０に嵌合する内筒１４を立設した天板１５と、連通管１０および含浸体１１の周囲に間隙１７を有して天板１５に立設した外筒１６とを具えている。
本実施例では、ボトルＡ１，Ａ２の口部１と嵌合筒１３とはねじ結合によって嵌合しているが、これに限定されず、通常の締まりばめによる嵌合やアンダーカットなど適宜な嵌合形態が採用可能である。
なお、連結管１０をボトルＡ１，Ａ２の口部１に直接連結し、キャップ９ａ，９ｂを省略した揮散機構Ｂとすることも可能である。
【００１８】
連通管１０は、両端がキャップ９ａ，９ｂのそれぞれの内筒１４に嵌合され、中央付近には揮発性液体の流量を規制する絞り孔１８を具えたオリフィス板１９が設けられている。
連通管１０の両端部とオリフィス板１９との間の管壁には、オリフィス板１９から両端に向かって軸方向に延び、管内外を貫通するスリット２０が設けられている。
【００１９】
スリット２０は、含浸体１１を介して外気と空気置換するとともに、揮発性液体を流通させて含浸体１１に液体を含浸させるものであるから、液体が流出しすぎないように周方向幅は小さなものでよい。
同様の趣旨で、スリット２０は、オリフィス板１９の上下に周方向各１個所設ければよいが、必要に応じて上下に周方向各複数個所に設けてもよい。
なお、本実施例のスリット２０は、オリフィス板１９を境に上下方向に分かれて設けられているが、オリフィス板１９の周縁に溝を設けて上下に連続した１つのスリットとすることも可能であり、その場合は、揮発性液体が絞り孔１８とスリット２０との両方の流路を通って流下するので、絞り孔１８とスリット２０を合わせた流路面積が、流下する液体の流量を規制することができるように設定されなくてはならない。
また、スリット２０は、必ずしもスリットである必要はなく、内外を貫通する複数の孔であってもよい。
【００２０】
連通管１０の外周面を覆う含浸体１１は、連結気孔を有する多孔質体やスポンジ、不織布などからなり、連通管１０の外周面を覆う筒状に形成されている。
揮散機構Ｂを外部から覆い、容器の天地を反転させる際に手指で把持する把持カバーＣには、液体を含浸体１１から大気中へ揮散させるための揮散孔２２が設けられている。
本実施例では、揮散孔２２は窓状の４つの大きな孔からなっているが、揮散孔２２の数はこれに限らず適宜決定することができ、１つの大きな窓状孔でもよく、逆に、多数のより小さな孔からなるものでもよい。
また、このような把持カバーＣは必ずしも必要ではなく、キャップ９ａ，９ｂに把持部を一体に成形してもよいし、ボトルＡ１，Ａ２のいずれかに把持部を設けて、把持カバーとしてもよい。
【００２１】
次に、本実施例の使用態様と作用効果について説明する。
一方のボトルＡ１の底面が載置された図１、２に示される状態では、揮発性液体は下方のボトルＡ１に収容されている。
揮発性液体を揮散させるときは、手指で把持カバーＣを把持して容器の天地を反転させ、ボトルＡ２側を下方にして載置する。
上方に反転移動したボトルＡ１内の液体は、口部１からキャップ９ａの内筒１４を通って連通管１０内の流路に流入する。
【００２２】
連通管１０の流路の中央付近には、絞り孔１８を形成したオリフィス板１９が設けられているから、流路内に流入した液体はすぐにはボトルＡ２へ流下せず、絞り孔１８により流量を規制されてオリフィス板１９の上方に滞留する。
連通管１０の管壁には、オリフィス板１９から両端に向けて軸方向に延びるスリット２０が設けらているから、オリフィス板１９の上方に滞留した揮発性液体は、スリット２０から流出して含浸体１１に浸出していく。
【００２３】
この際、スリット２０および絞り孔１８を通って気液が置換され、ボトルＡ１内が負圧になるようなことはない。
また、スリット２０は、急激に液体が流出しないように適宜の周方向幅および周方向の配置数が設定されているが、それでも含浸体１１に含浸される量を超えて流出してしまった場合には、過分に流出した液体はキャップ９ｂの隙間１７に滞留し、周囲を汚すようなことはない。
隙間１７に滞留した液体は、含浸体１１へ引き続き供給され揮散されるから、無駄になることもない。
【００２４】
スリット２０から浸出した液体は、連通管１０の外周を覆う含浸体１１に含浸され、その表面から大気中に揮散されていく。
同時に、ボトルＡ１内の液体は、絞り孔１８から少しずつボトルＡ２へ流下していき、やがて全ての液体がボトルＡ２に移行し終わると、スリット２０を介した含浸体１１への液体の供給が終了し、その後は含浸体１１に含浸された液体が一定時間たってなくなるまで揮散し続ける。
【００２５】
絞り孔１８は非常に小さい孔なので、液体は絞り孔１８からはほとんど揮散せず、含浸体１１に含浸された液体がなくなると、液体の揮散は中断される。
その後は、消費者が使用を再開したくなったときに再度容器の天地を反転させれば、液体の揮散を再開して一定時間液体を揮散させることができるので、使用者が操作する度に液体の揮散効果を感じる「使用感」と「遊び心」が得られる。
また、ボトルＡ１，Ａ２は透明、または半透明の素材からなっているから、揮発性液体の残量を外部から目視することができるとともに、容器を反転操作する際に、容器の重さによって容器内の液体の残量を感じることができる。
さらに、容器の天地を反転すると液体の入っているボトルも上方へ移動して天地を反転するから、揮発性液体を最後まで完全に使い切ることができる。
【００２６】
なお、絞り孔１８は非常に小さいので、容器内の揮発性液体はほとんど揮散しないが、長い間使用しないときは、液体が収容されたボトルＡ（Ａ１又はＡ２）をキャップ９（９ａまたは９ｂ）から外し、ボトルＡに図示しない蓋栓をして密閉保存し、使用を再開するときに蓋栓を外してボトルＡをキャップ９に嵌合し容器に組み付ければよい。
【００２７】
同様に、本実施例の液体揮散容器を初めて使用するときには、液体が収容された一方のボトルＡの蓋栓を外し、他方のボトルＡと揮散機構Ｂ、把持カバーＣが組み付けられた容器組立体を上方から嵌合して取り付けるようにすればよい。
その際、ボトルＡの口部１はキャップ９の内筒１４に密に嵌合して取付固定されるが、ボトルＡの湾曲頸部４は、把持カバーＣの端部内周面に弾性的に嵌合するから取付誤差を吸収することができるとともに、把持カバーＣの肉厚に対応する連結拡径部５を有しているから、把持カバーＣの外周面と外周壁２とがほぼ一致した外周面を形成して外観を優れたものにすることができる。
【産業上の利用可能性】
【００２８】
本発明の液体揮散容器は、容器内に収容した揮発性液体を簡単な操作で一定時間大気中に揮散することができ、「使用感」と「遊び心」が得られて外観も優れたものであるから、室内に置く各種芳香剤容器や消臭剤容器などに広く利用することができる。
【符号の説明】
【００２９】
Ａ１，Ａ２    ボトル
Ｂ            揮散機構
Ｃ            把持カバー
１            口部
２            外周壁
３            底壁
４            湾曲頸部
５            連結拡径部
６            載置突条環
９ａ，９ｂ    キャップ
１０            連通管
１１            含浸体
１３            嵌合筒
１４            内筒
１５            天板
１６            外筒
１７            間隙
１８            絞り孔
１９            オリフィス板
２０            スリット（貫通孔）
２２            揮散孔
【図１】
2015067327.tif 000003
【図２】
2015067327.tif 000004
【図３】
2015067327.tif 000005